(57)【特許請求の範囲】
【請求項１】
外部電源（２００）から駆動用電源（Ｖ１）を供給される空調システム（１００）であって、
弁開度を調整され、高圧の冷媒を減圧する電子膨張弁（１５）と、
前記電子膨張弁の駆動を制御し、運転時における前記弁開度を含む情報である弁開度情報を所定のタイミングで出力する第１制御部（１６ａ、１６ｂ）と、
前記弁開度情報を格納される記憶部（７２）と、
前記駆動用電源が遮断される停電が発生した場合、前記記憶部に最新の前記弁開度情報が格納されてから復電時までの時間である停電継続時間を算出する停電継続時間算出部（７４、７５、１６ａ、１６ｂ）と、
を備え、
前記第１制御部は、
運転時において前記停電が発生した場合には、復電時に再起動処理を実行し、
前記再起動処理においては、前記記憶部に格納された最新の前記弁開度情報を取得し、前記停電継続時間に基づき弁開度変化量を推定し、取得した前記弁開度情報に含まれる前記弁開度に前記弁開度変化量を加算した推定弁開度を算出し、前記推定弁開度に基づいて前記弁開度を最小開度に設定する初期化処理を実行し、
前記弁開度変化量は、取得した最新の前記弁開度情報が前記記憶部に格納されてから前記停電発生時までの前記弁開度の変化量である、
空調システム（１００）。
【請求項２】
前記第１制御部は、前記再起動処理において、前記停電継続時間が所定の閾値（ΔＴｈ１）以上の時に、前記初期化処理を実行する、
請求項１に記載の空調システム（１００）。
【請求項３】
前記外部電源とは異なる電源部（３００）から電源（Ｖ２）を供給され、前記第１制御部と相互に信号の送受信を行う第２制御部（３３）をさらに備え、
前記第２制御部は、前記停電継続時間算出部（７４、７５）を含み、運転時において前記停電が発生した場合には、前記復電時に前記停電継続時間を前記第１制御部へ送信する、
請求項１又は２に記載の空調システム（１００）。
【請求項４】
前記第１制御部は、運転中、定期的に、前記第２制御部に対して信号を送信する、
請求項３に記載の空調システム（１００）。
【請求項５】
前記第２制御部は、前記第１制御部から出力された前記弁開度情報を受信し、受信した前記弁開度情報を時刻と関連付けて前記記憶部に格納する、
請求項３又は４に記載の空調システム（１００）。
【請求項６】
複数の室内ユニット（２０）と、
各前記室内ユニットの運転を統括的に制御する集中管理機器（１２０）と、
をさらに備え、
前記記憶部及び前記第２制御部は、前記集中管理機器に含まれる、
請求項３から５のいずれか１項に記載の空調システム（１００）。
【発明の詳細な説明】
【技術分野】
【０００１】
本発明は、空調システムに関する。
【背景技術】
【０００２】
従来、圧縮機で圧縮された高圧の冷媒を減圧する電子膨張弁を備えた空調システムがある。電子膨張弁は、一般的に、ステッピングモータに駆動電圧を供給されることで弁開度を段階的に調整される。例えば、特許文献１（特開２００９−１６２４７５号公報）には、供給される駆動パルスに応じて弁開度を変化させる電子膨張弁を備えた空調システムが開示されている。
【０００３】
ところで、空調システムでは、何らかの原因により停電が発生して駆動電源が突発的に遮断される場合がある。係る場合には、復電時に、電子膨張弁の弁開度を認識できなくなるため、弁開度を最小開度等に設定することで電子膨張弁の初期化が行われる。一般的に、電子膨張弁の初期化においては、電子膨張弁が最大開度（全開）の状態から最小開度（全閉）の状態に変化するのに必要な駆動電圧を供給するための時間を要する。例えば、特許文献１では、電子膨張弁の初期化に０．５分を要する旨が記載されている。従来においては、復電時の再起動に係る処理においては、電子膨張弁の初期化を行ってから圧縮機を駆動させていたため、停電発生後の再起動を短時間で行うことが難しかった。
【０００４】
しかし、設置空間の状況によっては、復電時における空調システムの迅速な再起動が望まれる場合がある。このため、特許文献１では、停電からの復電時において、電子膨張弁の初期化を行う前に圧縮機の駆動を開始させ、圧縮機の回転数が最大回転数に到達した後で電子膨張弁の初期化を行う短縮起動制御を実行することで、迅速な再起動を図っている。
【発明の概要】
【発明が解決しようとする課題】
【０００５】
しかし、特許文献１では、再起動時に、圧縮機が駆動した状態で電子膨張弁の初期化を行うため、高圧の冷媒をバイパスするためのバイパス配管が必要となり、製造コストが増大する。
【０００６】
また、特許文献１では、復電時において、短縮起動制御を実行するか否かを室温に基づいて決定している。このため、状況によっては、短時間の停電や瞬間的な停電であるにも関わらず、短縮起動制御を行わずに通常の電子膨張弁の初期化を行う場合が想定される。係る場合には、迅速な再起動が実現されない。
【０００７】
そこで、本発明の課題は、コスト増大を抑制しつつ復電時の再起動に係る時間を高精度に抑制する空調システムを提供することである。
【課題を解決するための手段】
【０００８】
本発明の第１観点に係る空調システムは、外部電源から駆動用電源を供給される空調システムであって、電子膨張弁と、第１制御部と、記憶部と、停電継続時間算出部と、を備える。電子膨張弁は、弁開度を調整される。電子膨張弁は、高圧の冷媒を減圧する。第１制御部は、電子膨張弁の駆動を制御する。第１制御部は、弁開度情報を所定のタイミングで出力する。弁開度情報は、運転時における弁開度を含む情報である。記憶部は、弁開度情報を格納される。停電継続時間算出部は、駆動用電源が遮断される停電が発生した場合、停電継続時間を算出する。停電継続時間は、記憶部に最新の弁開度情報が格納されてから復電時までの時間である。第１制御部は、運転時において停電が発生した場合には、復電時に再起動処理を実行する。第１制御部は、再起動処理において、記憶部に格納された最新の弁開度情報を取得する。第１制御部は、再起動処理において、停電継続時間に基づき、弁開度変化量を推定する。弁開度変化量は、取得した最新の弁開度情報が記憶部に格納されてから停電発生時までの弁開度の変化量である。第１制御部は、再起動処理において、推定弁開度を算出する。推定弁開度は、取得した弁開度情報に含まれる弁開度に、弁開度変化量を加算した弁開度である。第１制御部は、再起動処理において、初期化処理を実行する。初期化処理は、推定弁開度に基づいて弁開度を最小開度に設定する処理である。
【０００９】
本発明の第１観点に係る空調システムでは、停電が発生した場合、停電継続時間算出部が停電継続時間を算出し、復電時に、第１制御部が、再起動処理を実行して、停電継続時間に基づき弁開度変化量を推定するとともに推定弁開度を算出し、推定弁開度に基づいて弁開度を最小開度に設定する初期化処理を実行する。これにより、停電が発生した場合、復電時に、停電継続時間に基づき弁開度変化量が推定されるとともに推定弁開度が算出され、推定弁開度に基づいて電子膨張弁の初期化が行われる。その結果、復電時における電子膨張弁の初期化及び再起動に係る時間を高精度に短縮することが可能となる。また、バイパス配管等、弁開度が最小開度である場合に冷媒をバイパスするための構成が不要であるため、コスト増大が抑制される。よって、コスト増大が抑制されつつ復電時の再起動に係る時間が高精度に抑制される。
【００１０】
本発明の第２観点に係る空調システムは、第１観点に係る空調システムであって、第１制御部は、再起動処理において、停電継続時間が所定の閾値以上の時に、初期化処理を実行する。
【００１１】
本発明の第２観点に係る空調システムでは、第１制御部は、再起動処理において、停電継続時間が所定の閾値以上の時には初期化処理を実行する。これにより、停電が発生した場合の復電時において、停電継続時間に基づき電子膨張弁の初期化が必要と判断される時に限って、電子膨張弁の初期化を行うことが可能となる。すなわち、停電継続時間が短時間であれば電子膨張弁の初期化を行わずに再起動することが可能となる。よって、停電継続時間に応じて、復電時における再起動に係る時間がさらに短縮される。
【００１２】
本発明の第３観点に係る空調システムは、第１観点又は第２観点に係る空調システムであって、第２制御部をさらに備える。第２制御部は、外部電源とは異なる電源部から電源を供給される。第２制御部は、第１制御部と相互に信号の送受信を行う。第２制御部は、停電継続時間算出部を含む。第２制御部は、運転時において停電が発生した場合には、復電時に停電継続時間を第１制御部へ送信する。
【００１３】
本発明の第３観点に係る空調システムでは、外部電源とは異なる電源部から電源を供給される第２制御部が、停電継続時間算出部を含み、復電時に停電継続時間を第１制御部へ送信する。これにより、停電継続時間、推定弁開度及び弁開度変化量を高精度に算出することが可能となる。
【００１４】
本発明の第４観点に係る空調システムは、第３観点に係る空調システムであって、第１制御部は、運転中、定期的に、第２制御部に対して信号を送信する。
【００１５】
本発明の第４観点に係る空調システムでは、運転中、第１制御部が、第２制御部に対し、定期的に信号を送信する。これにより、停電継続時間、推定弁開度及び弁開度変化量を高精度に算出することが可能となる。
【００１６】
本発明の第５観点に係る空調システムは、第３観点又は第４観点に係る空調システムであって、第２制御部は、第１制御部から出力された弁開度情報を受信する。第２制御部は、受信した弁開度情報を、時刻と関連付けて記憶部に格納する。
【００１７】
本発明の第５観点に係る空調システムでは、第２制御部が、第１制御部から出力された弁開度情報を受信し、受信した弁開度情報を時刻と関連付けて記憶部に格納する。これにより、停電継続時間、推定弁開度及び弁開度変化量を高精度に算出することが可能となる。
【００１８】
本発明の第６観点に係る空調システムは、第３観点から第５観点のいずれかに係る空調システムであって、複数の室内ユニットと、集中管理機器と、をさらに備える。集中管理機器は、各室内ユニットの運転を統括的に制御する。記憶部及び第２制御部は、集中管理機器に含まれる。
【００１９】
本発明の第６観点に係る空調システムでは、記憶部及び第２制御部が集中管理機器に含まれる。これにより、施工後の空調システムにおいて、停電が発生した場合の復電時における電子膨張弁の初期化及び再起動に係る時間を、高精度に短縮することが可能となる。
【発明の効果】
【００２０】
本発明の第１観点に係る空調システムでは、コスト増大が抑制されつつ復電時の再起動に係る時間が高精度に抑制される。
【００２１】
本発明の第２観点に係る空調システムでは、停電継続時間に応じて、復電時における再起動に係る時間がさらに短縮される。
【００２２】
本発明の第３観点から第５観点に係る空調システムでは、停電継続時間を高精度に算出することが可能となる。
【００２３】
本発明の第６観点に係る空調システムでは、施工後の空調システムにおいて、停電が発生した場合の復電時における電子膨張弁の初期化及び再起動に係る時間を、高精度に短縮することが可能となる。
【図面の簡単な説明】
【００２４】
【図１】本発明の一実施形態に係る空調システムの概略構成図。
【図２】膨張弁の断面図。
【図３】膨張弁のストッパ機構の平面図。
【図４】室外制御部の概略構成図。
【図５】統括制御部の概略構成図。
【図６】起動モード時における室外制御部の処理の流れの一例を示したフローチャート。
【図７】室外制御部及び統括制御部の動作の一例を示したシーケンス図。
【図８】室外制御部及び統括制御部の動作の一例を示したシーケンス図。
【発明を実施するための形態】
【００２５】
以下、図面を参照しながら、本発明の一実施形態に係る空調システム１００について説明する。なお、以下の実施形態は、本発明の具体例であって、本発明の技術的範囲を限定するものではなく、発明の要旨を逸脱しない範囲で適宜変更が可能である。また、以下の実施形態において、上、下、左、右、正面（前）又は背面（後）といった方向は、図２及び図３に示す方向を意味する。
【００２６】
（１）空調システム１００
図１は、空調システム１００の概略構成図である。空調システム１００は、主として、複数（２つ）の空調ユニット１１０（具体的に空調ユニット１１１及び１１２）と、集中管理装置１２０と、を備えている。
【００２７】
（１−１）空調ユニット１１０
各空調ユニット１１０（空調ユニット１１１及び１１２）は、１台の室外ユニット１０と、１台の室内ユニット２０と、を含む。空調ユニット１１０は、蒸気圧縮方式の冷凍サイクル運転を行うことで、対象空間の空気調和を実現する。各空調ユニット１１０は、冷房モード及び暖房モード等の駆動モードを有しており、選択された駆動モードに応じて冷房運転又は暖房運転等を行う。各空調ユニット１１０においては、室外ユニット１０と室内ユニット２０とが冷媒配管ＲＰで接続されることで冷媒回路が構成されている。
【００２８】
（１−１−１）室外ユニット１０
室外ユニット１０は、室外に設置される。室外ユニット１０は、その内部に、主として、圧縮機１１と、四路切換弁１２と、室外熱交換器１３と、室外ファン１４と、膨張弁１５と、室外制御部１６と、を有している。
【００２９】
圧縮機１１は、吸入口から低圧のガス冷媒を吸入し、圧縮して、吐出口から吐出する機器である。圧縮機１１は、圧縮機モータ１１ａを内蔵する密閉式の構造を有している。圧縮機モータ１１ａは、例えば３相のブラシレスＤＣモータである。また、圧縮機１１は、ロータリ式やスクロール式等の容積式の圧縮要素（図示省略）を内部に有している。圧縮要素は、圧縮機モータ１１ａの出力軸に接続されており、圧縮機モータ１１ａに連動して駆動する。圧縮機１１は、室外制御部１６から圧縮機モータ１１ａに駆動電圧を供給される。また、圧縮機１１は、室外制御部１６によって圧縮機モータ１１ａの回転数を調整されることで容量可変とされる。
【００３０】
四路切換弁１２は、冷房運転と暖房運転との切換時に、冷媒の流れる方向を切り換えるための切換弁である。四路切換弁１２は、冷房運転時には、圧縮機１１の吐出側と室外熱交換器１３のガス側とが接続されるとともに、圧縮機１１の吸入側と室内熱交換器２１のガス側とが接続されるように、流路を切り換える（図１の四路切換弁１２における実線を参照）。四路切換弁１２は、暖房運転時には、圧縮機１１の吐出側と室内熱交換器２１のガス側とが接続されるとともに、圧縮機１１の吸入側と室外熱交換器１３のガス側とが接続されるように、流路を切り換える（図１の四路切換弁１２における破線を参照）。
【００３１】
室外熱交換器１３は、例えばクロス・フィン・チューブ方式又はマイクロチャネル方式の熱交換器である。室外熱交換器１３は、冷房運転時には冷媒の凝縮器（又は放熱器）として機能し、暖房運転時には冷媒の蒸発器として機能する。
【００３２】
室外ファン１４は、例えば遠心ファンである。室外ファン１４は、室外ファンモータ１４ａの出力軸に接続されており、室外ファンモータ１４ａに連動して駆動する。室外ファン１４は、駆動すると、室外ユニット１０の外部から内部に流入し室外熱交換器１３を通過してから室外ユニット１０外へ流出する空気流を生成する。
【００３３】
膨張弁１５（特許請求の範囲記載の「電子膨張弁」に相当）は、高圧の冷媒を減圧する機構である。膨張弁１５は、駆動電圧を供給されることで弁開度が段階的に変化する電子膨張弁である。膨張弁１５は、例えば運転状況に応じて弁開度を調整される。膨張弁１５は、弁開度に応じて冷媒を減圧する。膨張弁１５の詳細については、後述の「（２）膨張弁１５の詳細」において説明する。
【００３４】
室外制御部１６は、室外ユニット１０内における各種の機器の動作を制御するユニットである。室外制御部１６は、例えば、圧縮機１１の回転数、室外ファン１４の回転数、四路切換弁１２の動作、及び膨張弁１５等の弁開度等を、状況に応じて制御する。なお、以下の説明においては、空調ユニット１１１内の室外制御部１６を室外制御部１６ａとして説明し、空調ユニット１１２内の室外制御部１６を室外制御部１６ｂとして説明する。
【００３５】
室外制御部１６は、メモリやＣＰＵ等を有するマイクロコンピュータ、アクチュエータ駆動回路及び通信回路等を含む。室外制御部１６は、電源配線２１０を介して外部電源２００と接続されており、外部電源２００から交流電源Ｖ１（特許請求の範囲記載の「駆動用電源」に相当）を供給されている。
【００３６】
室外制御部１６は、ケーブルｃｂ１を介して室内制御部２３（後述）と接続されており、相互に信号の送受信を行う。また、室外制御部１６は、ケーブルｃｂ２を介して集中管理装置１２０と接続されており、相互に信号の送受信を行う。室外制御部１６は、室内制御部２３又は集中管理装置１２０から所定の信号を受信すると、当該信号に対応する処理を行う。室外制御部１６の詳細については、後述の「（３）室外制御部１６の詳細」において説明する。
【００３７】
（１−１−２）室内ユニット２０
室内ユニット２０は、例えば、いわゆる天井埋込み型、天井吊下げ型又は壁掛け型の室内機である。室内ユニット２０は、主として、室内熱交換器２１、室内ファン２２及び室内制御部２３等を有している。
【００３８】
室内熱交換器２１は、例えばクロス・フィン・チューブ方式の熱交換器である。室内熱交換器２１は、冷房運転時には冷媒の蒸発器として機能し、暖房運転時には冷媒の凝縮器（又は放熱用の熱交換器）として機能する。
【００３９】
室内ファン２２は、室内ユニット２０内に流入して室内熱交換器２１を通過した後に室内ユニット２０外に流出する空気流を、生成する送風機である。室内ファン２２は、例えば遠心ファンや多翼ファン等であり、室内ファンモータ２２ａの出力軸に接続されている。室内ファン２２は、室内ファンモータ２２ａに連動して駆動する。
【００４０】
室内制御部２３は、室内ユニット２０内における各種の機器の動作を制御するユニットである。室内制御部２３は、例えば、室内ファン２２の回転数等を、状況に応じて制御する。室内制御部２３は、ＣＰＵやメモリ等で構成されるマイクロコンピュータ、アクチュエータ駆動回路及び通信回路等を含む。室内制御部２３は、電源配線（図示省略）を介して、外部電源２００から駆動電源を供給される。室内制御部２３は、ケーブルｃｂ１を介して室外制御部１６と接続されており、相互に信号の送受信を行う。室内制御部２３は、室外制御部１６又はリモコン（図示省略）から所定の信号を受信すると、当該信号に対応する処理を行う。
【００４１】
（１−１−３）冷媒配管ＲＰ
冷媒配管ＲＰは、例えば銅製の配管であり、内部を冷媒が通過する。具体的に、冷媒配管ＲＰは、第１配管Ｐ１、第２配管Ｐ２、第３配管Ｐ３、第４配管Ｐ４、第５配管Ｐ５及び第６配管Ｐ６を含む。
【００４２】
第１配管Ｐ１は、圧縮機１１の吸入口と四路切換弁１２とを接続する冷媒配管である。第２配管Ｐ２は、圧縮機１１の吐出口と四路切換弁１２とを接続する冷媒配管である。第３配管Ｐ３は、四路切換弁１２と室外熱交換器１３のガス側とを接続する冷媒配管である。第４配管Ｐ４は、室外熱交換器１３の液側と膨張弁１５とを接続する冷媒配管である。第５配管Ｐ５は、膨張弁１５と室内熱交換器２１とを接続する冷媒配管である。第６配管Ｐ６は、室内熱交換器２１と四路切換弁１２とを接続する冷媒配管である。
【００４３】
（１−２）集中管理装置１２０
集中管理装置１２０（特許請求の範囲記載の「集中管理機器」に相当）は、空調システム１００の運転を統括的に管理する装置であり、例えばパーソナルコンピュータや他のコンピュータである。集中管理装置１２０は、状況に応じて、各空調ユニット１１０の運転を制御する。集中管理装置１２０は、主として、入力部３１と、表示部３２と、統括制御部３３と、を有している。
【００４４】
入力部３１は、各種のコマンドを入力するためのインターフェースである。入力部３１は、例えばキーボードやタッチパネルである。
【００４５】
表示部３２は、空調システム１００における各種の運転情報を表示するためのインターフェースである。表示部３２は、例えば、液晶ディスプレイである。
【００４６】
統括制御部３３（特許請求の範囲記載の「第２制御部」に相当）は、メモリやＣＰＵを含むマイクロコンピュータや、通信回路等を含む。統括制御部３３は、電源配線３１０を介して外部電源３００と接続されており、外部電源３００から交流電源Ｖ２（特許請求の範囲記載の「電源」に相当）を供給されている。なお、外部電源３００は、外部電源２００とは異なる系統に属する。
【００４７】
統括制御部３３は、ケーブルｃｂ２を介して室外制御部１６と接続されており、相互に信号の送受信を行う。統括制御部３３は、運転状態にある空調ユニット１１０内の室外制御部１６から定期的に所定の信号（後述の運転状況通知信号）を送信される。統括制御部３３は、当該信号を受信して所定の記憶領域において保持する。統括制御部３３の詳細については、後述の「（４）統括制御部３３の詳細」において説明する。
【００４８】
（２）膨張弁１５の詳細
以下、膨張弁１５について説明する。図２は、膨張弁１５の断面図である。
【００４９】
（２−１）膨張弁１５の構成
膨張弁１５は、主として、第４配管Ｐ４及び第５配管Ｐ５に接続される本体部４１と、棒状の弁体４２と、ステッピングモータ４３と、を備えている。
【００５０】
本体部４１の内部には、弁室ＳＰ１が形成されている。弁室ＳＰ１は、第４配管Ｐ４及び第５配管Ｐ５と連通している。弁室ＳＰ１内には弁座５０が配設されている。本体部４１は、弁体４２を収容するガイド部４１１を有している。ガイド部４１１は、ステッピングモータ４３内に挿入されている。
【００５１】
弁体４２は、下端において、テーパ状に構成された先端部４２１を有している。弁体４２は、コイルばね５１により弁室ＳＰ１側へ押されている。
【００５２】
ステッピングモータ４３は、ステータ５２と、ロータ５３と、ストッパ機構５４と、を有している。
【００５３】
ステータ５２は、電磁コイルで構成されている。
【００５４】
ロータ５３は、永久磁石５３１と、永久磁石５３１を固定するロータ本体５３２と、弁体４２と接続される接続部５３３と、を含む。ロータ本体５３２は、円筒状に形成されている。ロータ本体５３２内には、本体部４１のガイド部４１１が挿入されている。
【００５５】
図３は、ストッパ機構５４の平面図である。ストッパ機構５４は、ピニオン５４１と、ギア５４２と、ギア５４２の回転を制止するストッパ５４３と、を有している。
【００５６】
ピニオン５４１は、弁体４２と同一の軸に接続され、回転可能に支持されている。
【００５７】
ギア５４２は、回転可能に支持されており、ピニオン５４１と噛み合う。ギア５４２は、ピニオン５４１よりも外径が大きい。ギア５４２は、扇形状に構成されており、第１端面Ａ１及び第２端面Ａ２を有する。ギア５４２は、正回転方向（時計回り）に所定の角度分回転すると、第１端面Ａ１がストッパ５４３に当たって、それ以上の正回転方向への回転を抑制される。また、ギア５４２は、負回転方向（反時計回り）に所定の角度分回転すると、第２端面Ａ２がストッパ５４３に当たって、それ以上の負回転方向への回転を抑制される。
【００５８】
ストッパ５４３は、固定部材（図示省略）によりステッピングモータ４３内に固定されている。
【００５９】
（２−２）膨張弁１５の動作
膨張弁１５においては、室外制御部１６から出力されるパルス信号に基づいて、ステッピングモータ４３のロータ５３が回転する。具体的に、室外制御部１６から出力されるパルス信号には、正回転パルスと負回転パルスとがある。膨張弁１５では、正回転パルスを出力されると、正回転パルスの個数に応じて、ロータ５３が正回転（時計回りに回転）する。また、膨張弁１５では、負回転パルスを出力されると、負回転パルスの個数に応じて、ロータ５３が負回転（反時計回りに回転）する。
【００６０】
膨張弁１５においては、ロータ５３が正回転することに伴い、ロータ５３及び弁体４２が下方向（本体部４１方向）に向って移動する。この時、弁体４２の先端部４２１が、弁座５０に向かって移動する。
【００６１】
弁体４２が下方向へ一定量移動すると、先端部４２１が弁室ＳＰ１内に進入する。弁体４２の下方向への移動がさらに進むに伴って、弁室ＳＰ１内における先端部４２１の進入の程度が大きくなる。膨張弁１５においては、弁室ＳＰ１内における先端部４２１の進入の程度が大きくなればなるほど、第４配管Ｐ４及び第５配管Ｐ５間における冷媒流量が低減する。
【００６２】
弁体４２の下方向への移動がさらに進むと、先端部４２１の下端部分が弁座５０よりも下方に位置する状態となり、係る状態において移動が進むにつれて、先端部４２１及び弁座５０間のクリアランスが小さくなっていく。膨張弁１５においては、先端部４２１及び弁座５０間のクリアランスが小さくなればなるほど、第４配管Ｐ４及び第５配管Ｐ５間における冷媒流量がさらに低減する。
【００６３】
弁体４２の下方向への移動が、さらに一定量進むと、先端部４２１が弁座５０に当接し、先端部４２１及び弁座５０間のクリアランスが無くなる。本明細書では、膨張弁１５が係る状態にある場合、弁体４２は「最下位置」にある、と定義する。膨張弁１５においては、弁体４２が最下位置にある場合、弁開度が最小開度となり、第４配管Ｐ４及び第５配管Ｐ５間における冷媒の流れが遮断される。
【００６４】
一方、膨張弁１５においては、ロータ５３が負回転することに伴い、ロータ５３及び弁体４２が上方向（本体部４１から遠ざかる方向）に向って移動する。
【００６５】
弁体４２が最下位置にある場合において弁体４２が上方向へ一定量移動すると、先端部４２１と弁座５０の当接が解除される状態となる。係る状態において弁体４２が上方向へさらに移動すると、移動が進むにつれて、先端部４２１及び弁座５０間のクリアランスが大きくなる。膨張弁１５においては、先端部４２１及び弁座５０間のクリアランスが大きくなればなるほど、第４配管Ｐ４及び第５配管Ｐ５間における冷媒流量が増加する。
【００６６】
弁体４２の上方向への移動がさらに進むと、移動が進むにつれて弁室ＳＰ１内における先端部４２１の進入の程度が小さくなっていく。膨張弁１５においては、弁室ＳＰ１内における先端部４２１の進入の程度が小さくなればなるほど、第４配管Ｐ４及び第５配管Ｐ５間における冷媒流量がさらに増加する。
【００６７】
また、弁体４２の上方向への移動が、さらに一定量進むと、先端部４２１が弁室ＳＰ１よりも上方に移動して、それ以上の上方への移動が制止される。本明細書では、膨張弁１５が係る状態にある場合、弁体４２は「最上位置」にある、と定義する。膨張弁１５においては、弁体４２が最上位置にある場合、弁開度が最大開度となり、第４配管Ｐ４及び第５配管Ｐ５間における冷媒の流れが最大となる。
【００６８】
以上のように、膨張弁１５においては、ロータ５３が正回転すると弁体４２は下方向に向って移動し、ロータ５３が負回転すると弁体４２は上方向に向って移動する。すなわち、膨張弁１５では、正回転パルスを出力されると、ロータ５３がパルスの個数に応じた回転角度だけ正回転して、弁体４２が下方向に向って移動する。また、膨張弁１５では、負回転パルスを出力されるとロータ５３がパルスの個数に応じた回転角度だけ負回転して、弁体４２が上方向に向って移動する。
【００６９】
ここで、ストッパ機構５４においては、ピニオン５４１は、ロータ５３の回転に連動して、ロータ５３が回転する方向と同一方向に回転する。また、ギア５４２は、ピニオン５４１の回転に連動して、ピニオン５４１が回転する方向とは逆方向に回転する。すなわち、弁体４２が下方向に向って移動するとき、ピニオン５４１は正回転方向に回転し、ギア５４２は負回転方向に回転する。
【００７０】
ストッパ機構５４においては、ロータ５３が一定量正回転して、弁体４２が最下位置になった時点では、ギア５４２の第２端面Ａ２とストッパ５４３とは接触しない。弁体４２が最下位置となってから、ロータ５３がさらに所定量正回転すると、ギア５４２の第２端面Ａ２と、ストッパ５４３と、が接触する。係る状態（以下、当該状態を、膨張弁１５における「正回転規制状態」と称する）となると、ストッパ５４３により、ギア５４２のさらなる負回転が規制され、これに伴いロータ５３のさらなる正回転が規制される。
【００７１】
一方で、ストッパ機構５４においては、弁体４２が上方向に向って移動するとき、ピニオン５４１は負回転方向に回転し、ギア５４２は正回転方向に回転する。ストッパ機構５４においては、ロータ５３の負回転に伴い、弁体４２が上方向へ移動して最上位置になった時点では、ギア５４２の第１端面Ａ１とストッパ５４３とは接触しない。弁体４２が最上位置となってから、ロータ５３がさらに所定量負回転すると、ギア５４２の第１端面Ａ１と、ストッパ５４３と、が接触する。係る状態（以下、当該状態を、膨張弁１５における「負回転規制状態」と称する）となると、ストッパ５４３により、ギア５４２のさらなる正回転が規制され、これに伴いロータ５３のさらなる負回転が規制される。
【００７２】
（２−３）膨張弁１５の弁開度
膨張弁１５においては、弁室ＳＰ１内における先端部４２１の進入の程度が、「弁開度」として定義される。具体的に、弁室ＳＰ１内における先端部４２１の進入の程度が大きくなればなるほど弁開度は小さくなり、弁室ＳＰ１内における先端部４２１の進入の程度が小さくなればなるほど弁開度は大きくなる。
【００７３】
膨張弁１５においては、弁体４２の位置と、ステッピングモータ４３に出力されるパルス信号の「パルス数」と、が関連付けられており、弁開度は当該「パルス数」で定義される。パルス数とは、出力された正回転パルスの個数分を減算し、出力された負回転パルスの個数分を加算して算出される、パルス信号の積算値である。
【００７４】
具体的に、膨張弁１５では、「正回転規制状態」に到達するパルス数が、「０パルス」と定義される。換言すると、膨張弁１５は、弁開度が最小開度になった状態（弁体４２が最下位置に到達した状態）から、さらに所定個数分の正回転パルスを出力されることで、弁開度が「０パルス」の状態となる。すなわち、膨張弁１５の弁開度が「０パルス」に設定される場合、弁開度は最小開度の状態にある。
【００７５】
また、膨張弁１５では、「負回転規制状態」に到達するパルス数が、「４８０パルス」と定義される。換言すると、弁開度が最大開度になった状態（弁体４２が最上位置に到達した状態）から、さらに所定個数分の負回転パルスを出力されることで、弁開度が「４８０パルス」の状態となる。すなわち、膨張弁１５の弁開度が「４８０パルス」に設定される場合、弁開度は最大開度の状態にある。
【００７６】
なお、空調ユニット１１０の起動時やサーモオフ時には、膨張弁１５の初期化が行われる。膨張弁１５の初期化では、弁開度は「０パルス」に設定される。
【００７７】
（３）室外制御部１６の詳細
図４は、室外制御部１６の概略構成図である。
【００７８】
室外制御部１６は、外部電源２００と電源配線２１０を介して電気的に接続されている。また、室外制御部１６は、室内制御部２３とケーブルｃｂ１を介して電気的に接続されている。また、室外制御部１６は、統括制御部３３とケーブルｃｂ２を介して電気的に接続されている。また、室外制御部１６は、圧縮機１１（圧縮機モータ１１ａ）、室外ファン１４（室外ファンモータ１４ａ）、四路切換弁１２及び膨張弁１５（ステッピングモータ４３）と、配線１６１、１６２、１６３又は１６４を介して電気的に接続されている。
【００７９】
室外制御部１６は、主として、室外電源生成部６１と、室外記憶部６２と、室外通信制御部６３と、圧縮機制御部６４と、室外ファン制御部６５と、四路切換弁制御部６６と、膨張弁制御部６７と、運転制御部６８と、を含んでいる。
【００８０】
（３−１）室外電源生成部６１
室外電源生成部６１は、外部電源２００から供給される交流電源Ｖ１を、直流に整流するとともに所定の電源電圧に変換して、各部に供給される駆動電源を生成する機能部である。
【００８１】
（３−２）室外記憶部６２
室外記憶部６２は、ＲＯＭやＲＡＭ等のメモリを含む。室外記憶部６２は、不揮発性の記憶領域において、室外制御部１６内の各部において適用される制御プログラムを保持している。当該制御プログラムには、室外制御部１６内における各部の処理がプログラミングされている。また、室外記憶部６２は、ワーキングメモリとしての揮発性の記憶領域に、各部から出力される情報を格納される。
【００８２】
（３−３）室外通信制御部６３
室外通信制御部６３は、室内制御部２３（室内ユニット２０）及び統括制御部３３（集中管理装置１２０）との通信を制御する機能部である。室外通信制御部６３は、室内制御部２３及び統括制御部３３から出力された信号を受信して解読し、解読した情報を室外記憶部６２の所定の記憶領域に格納する。また、室外通信制御部６３は、所定の状況に応じて、室内制御部２３又は統括制御部３３に制御信号を送信する。
【００８３】
室外通信制御部６３は、運転開始時に、運転制御部６８からの指示を受けて、運転開始通知信号を生成し、当該信号を統括制御部３３へ送信する。運転開始通知信号は、空調ユニット１１０が運転を開始したことを、統括制御部３３に対してリアルタイムに通知するための信号である。
【００８４】
室外通信制御部６３は、運転中、定期的に、運転制御部６８からの指示を受けて、運転状況通知信号を生成し、当該信号を統括制御部３３へ送信する。なお、室外通信制御部６３は、室外記憶部６２から各種の情報を取得し、取得した情報に基づいて運転状況通知信号を生成する。具体的に、運転状況通知信号には、運転時における最新の、膨張弁１５の弁開度（パルス数）、圧縮機１１の回転数、室外ファン１４の回転数及び駆動モード等に関する情報が含まれる。すなわち、運転状況通知信号は、空調ユニット１１０の運転時における各種の設定項目や各アクチュエータの駆動状態に関する情報を、統括制御部３３に対してリアルタイムに通知するための信号である。換言すると、運転状況通知信号は、運転時における膨張弁１５の弁開度を含む情報（弁開度情報）を含んでいる。
【００８５】
また、室外通信制御部６３は、運転停止時には、運転制御部６８からの指示を受けて、運転停止通知信号を生成し、当該信号を統括制御部３３へ送信する。運転停止通知信号は、運転停止時において停止処理（後述）が完了したことを示す情報を含む信号である。すなわち、運転停止通知信号は、空調ユニット１１０が正常に運転停止したことを、統括制御部３３に対してリアルタイムに通知するための信号である。
【００８６】
また、室外通信制御部６３は、駆動電源（交流電源Ｖ１）を遮断されている状態から供給され始めたタイミングで、運転制御部６８からの指示を受けて、通電通知信号を生成し、当該信号を統括制御部３３へ送信する。通電通知信号は、空調ユニット１１０が駆動電源を供給され始めて運転可能状態となったことを、統括制御部３３に対してリアルタイムに通知するための信号である。
【００８７】
また、室外通信制御部６３は、起動時に、統括制御部３３から運転履歴情報（後述）を受信すると、当該情報を室外記憶部６２に格納する。
【００８８】
（３−４）圧縮機制御部６４
圧縮機制御部６４は、圧縮機１１（圧縮機モータ１１ａ）の発停及び回転数を制御する機能部である。圧縮機制御部６４は、インバータ等を含む。圧縮機制御部６４は、運転時には、運転制御部６８からの指示を受けて、圧縮機１１に対し、圧縮機１１の回転数に対応する駆動電圧の供給若しくは供給停止を行う。
【００８９】
（３−５）室外ファン制御部６５
室外ファン制御部６５は、室外ファン１４（室外ファンモータ１４ａ）の発停及び回転数を制御する機能部である。室外ファン制御部６５は、インバータ等を含む。室外ファン制御部６５は、運転時には、運転制御部６８からの指示を受けて、室外ファン１４に対し、室外ファン１４の回転数に対応する駆動電圧の供給若しくは供給停止を行う。
【００９０】
（３−６）四路切換弁制御部６６
四路切換弁制御部６６は、四路切換弁１２の動作を制御する機能部である。四路切換弁制御部６６は、運転時には、運転制御部６８からの指示を受けて、四路切換弁１２の状態を切り換えるための駆動電圧を、四路切換弁１２に対して出力する。
【００９１】
（３−７）膨張弁制御部６７
膨張弁制御部６７は、膨張弁１５の弁開度（ステッピングモータ４３の動作）を制御する機能部である。膨張弁制御部６７は、運転時には、運転制御部６８からの指示を受けて、膨張弁１５の弁開度に対応するパルス信号をステッピングモータ４３に対して出力して、膨張弁１５の弁開度を切り換えさせる。
【００９２】
（３−８）運転制御部６８
運転制御部６８は、制御プログラムに沿って、室外制御部１６内の各部に対して指示を出力する機能部である。運転制御部６８は、制御モードとして、起動モード、待機モード、運転モード及び停止モードを有しており、各制御モードにおいて所定の処理を実行する。
【００９３】
起動モードは、運転制御部６８に駆動電源が供給され始めた時に遷移する制御モードであり、例えば、電源投入時や、停電からの復電時において遷移する制御モードである。待機モードは、起動モード又は停止モードから遷移する制御モードであり、運転開始指示が入力されるのを待機する制御モードである。運転モードは、起動モード又は待機モードから遷移する制御モードであり、運転時に各部の動作を制御する制御モードである。停止モードは、運転モードから遷移する制御モードであり、空調ユニット１１０の運転停止時（運転停止指示を入力された時）に各部の動作を制御する制御モードである。
【００９４】
以下、各制御モード時の処理について説明する。なお、説明の便宜上、待機モード、運転モード、停止モード、起動モードの順に説明する。
【００９５】
（３−８−１）待機モード時の処理
運転制御部６８は、待機モード時には、運転開始指示が入力されるまで待機する。
【００９６】
運転制御部６８は、待機モード時において、運転開始指示が入力されると、膨張弁１５を初期化するべく通常初期化処理を実行する。運転制御部６８は、通常初期化処理において、膨張弁１５の原点を設定するべく、膨張弁制御部６７に指示を出力して、弁開度を４８０パルス（最大開度）から０パルス（最小開度）に設定するのに必要なパルス信号を、出力させる。具体的に、運転制御部６８は、通常初期化処理において、４８０個（又は４８０＋α個）のパルス信号（正回転パルス）を、膨張弁制御部６７に出力させる。なお、通常初期化処理は、サーモオフ時に膨張弁１５の初期化を行う際にも実行される。
【００９７】
運転制御部６８は、通常初期化処理の完了後、運転モードに遷移する。
【００９８】
（３−８−２）運転モード時の処理
運転制御部６８は、運転モード時には、制御プログラムに沿って、各部に対して指示を出力する。
【００９９】
例えば、運転制御部６８は、状況（例えば冷房モードや暖房モードの設定等）に応じて、四路切換弁制御部６６に対して、四路切換弁１２の状態を切り換えさせる指示を出力する。係る指示を出力する際、運転制御部６８は、切換後の四路切換弁１２の状態に係る情報を、室外記憶部６２に格納する。
【０１００】
また、運転制御部６８は、状況（例えば設定温度や室温等）に応じて、圧縮機制御部６４に対して、圧縮機１１の回転数を切り換えさせる指示を出力する。係る指示を出力する際、運転制御部６８は、切換後の圧縮機１１の回転数に係る情報を、室外記憶部６２に格納する。
【０１０１】
また、運転制御部６８は、状況（例えば設定温度や室温等）に応じて、室外ファン制御部６５に対して、室外ファン１４の回転数を切り換えさせる指示を出力する。係る指示を出力する際、運転制御部６８は、切換後の室外ファン１４の回転数に係る情報を、室外記憶部６２に格納する。
【０１０２】
また、運転制御部６８は、状況（例えば設定温度や室温等）に応じて、膨張弁制御部６７に対して、膨張弁１５の弁開度を切り換えさせる指示を出力する。係る指示を出力する際、運転制御部６８は、切換後の膨張弁１５の弁開度に係る情報を、室外記憶部６２に格納する。
【０１０３】
また、運転制御部６８は、運転モードに遷移した時には、運転開始信号を統括制御部３３へ送信させる指示を、室外通信制御部６３に対して出力する。これにより、運転開始時には、運転開始信号が統括制御部３３へ送信される。
【０１０４】
また、運転制御部６８は、運転モード時には、所定の周期（本実施形態では、周期は１０ｓに設定される）で、運転状況通知信号を統括制御部３３へ送信させる指示を、室外通信制御部６３に対して出力する。これにより、運転時には、１０ｓ毎に、運転状況通知信号が統括制御部３３へ送信される。
【０１０５】
（３−８−３）停止モード時の処理
運転制御部６８は、停止モード時には、以下の停止処理を実行する。
【０１０６】
具体的に、運転制御部６８は、停止処理において、圧縮機１１への駆動電圧の供給を停止させる指示を、圧縮機制御部６４に出力する。また、運転制御部６８は、室外ファン１４への駆動電圧の供給を停止させる指示を、室外ファン制御部６５に出力する。また、運転制御部６８は、膨張弁１５の弁開度を最大開度に設定させる指示を、膨張弁制御部６７に出力する。
【０１０７】
運転制御部６８は、停止モード時において、停止処理の完了後、統括制御部３３へ運転停止通知信号を送信させる指示を、室外通信制御部６３に出力する。
【０１０８】
（３−８−４）起動モード時の処理
運転制御部６８は、駆動電源が遮断されている状態において駆動電源が供給された時に、起動モードに遷移する。例えば、運転制御部６８は、空調ユニット１１０の設置完了後、外部電源２００と電気的に接続されて、交流電源Ｖ１を供給された時に、起動モードに遷移する。また、運転制御部６８は、外部電源２００から交流電源Ｖ１を供給されている状態において、何らかの原因により交流電源Ｖ１が遮断される事象（以下、当該事象を「停電」と称する）が発生した場合には、復電時（交流電源Ｖ１の供給再開時）に、起動モードに遷移する。
【０１０９】
運転制御部６８は、起動モード時には、以下の起動処理（特許請求の範囲記載の「再起動処理」に相当）を実行する。
【０１１０】
運転制御部６８は、起動処理において、統括制御部３３へ通電通知信号を送信する旨の指示を、室外通信制御部６３に出力する。
【０１１１】
その後、統括制御部３３から運転履歴情報が送信されると、運転制御部６８は、室外記憶部６２から当該運転履歴情報を取得して解読する。
【０１１２】
運転制御部６８は、取得した運転履歴情報において、停電継続時間（後述）が含まれていない場合には、直近の運転停止が正常なものである、と判断する。一方、運転制御部６８は、取得した運転履歴情報において、停電継続時間が含まれている場合には、直近の運転停止が停電によるものと判断する。すなわち、運転制御部６８は、統括制御部３３から送信された運転履歴情報（停電継続時間）に基づき、停電が発生したか否かを識別する。
【０１１３】
なお、停電継続時間とは、停電が起こった場合に、停電発生時から復電時までの時間として、統括制御部３３により算出される値である。
【０１１４】
運転制御部６８は、直近の運転停止が正常なものである（すなわち、停電によるものではない）と判断した場合には、待機モードに遷移する。
【０１１５】
一方、運転制御部６８は、直近の運転停止が停電によるものであると判断した場合には、運転履歴情報から停電継続時間を取得する。また、運転制御部６８は、運転履歴情報から、膨張弁１５の弁開度（以下、当該弁開度を「最新弁開度」と称する）、圧縮機１１の回転数、室外ファン１４の回転数、運転モード等の情報を取得する。
【０１１６】
そして、運転制御部６８は、停電継続時間が所定の第１閾値ΔＴｈ１（特許請求の範囲記載の「閾値」に相当）以上であるか否か、を判定する。運転制御部６８は、当該判定において、停電継続時間が第１閾値ΔＴｈ１以上であれば停電が長時間の停電である長期停電であったと判断し、停電継続時間が第１閾値ΔＴｈ１未満であれば短時間の停電又は瞬間的な停電である短期停電であったと判断する。なお、本実施形態において、第１閾値ΔＴｈ１は、１０ｍｉｎに設定される。
【０１１７】
運転制御部６８は、停電が短期停電であったと判断した場合には、膨張弁１５の初期化が不要と判断して、膨張弁１５の初期化を行わずに、最新弁開度を膨張弁１５の弁開度として室外記憶部６２に格納したうえで、起動モードから運転モードに遷移する。すなわち、短期停電の場合には、復電時における再起動において膨張弁１５の設定は特に行わない。このように、膨張弁１５の初期化を行わないのは、停電が短期停電の場合には、膨張弁１５の弁開度を最新弁開度（停電発生前に最後に記憶された弁開度）に設定した状態で圧縮機１１を運転したとしても、圧縮機１１に液冷媒が吸入されるいわゆる液バック現象が起こりにくく、保安性への影響が少ない、という考えに基づいている。
【０１１８】
なお、後述する第１時刻（最新の弁開度に係る情報を含む運転状況通知信号が記憶された時刻）から短期停電の発生時までに弁開度が変化していた場合には、室外記憶部６２に格納されている弁開度と、実際の弁開度と、の間に誤差が生じることとなるが、係る誤差は、サーモオフ時に膨張弁１５が初期化されることで解消される。
【０１１９】
運転制御部６８は、停電が長期停電であったと判断した場合には、停電継続時間に基づいて、弁開度変化量を算出する。弁開度変化量とは、第１時刻から停電発生時までにおける膨張弁１５の弁開度の変化量として推定される値である。具体的に、弁開度変化量は、停電継続時間に、弁開度の基準変化量を乗じることで算出される。
【０１２０】
基準変化量とは、一般的な通常運転における単位時間あたりの膨張弁１５の変化量として想定される最大値であり、本実施形態においては、６ｓｅｃあたり１パルス（すなわち１ｍｉｎあたり１０パルス）として、制御プログラムに予め設定されている。
【０１２１】
このような基準変化量及び停電継続時間に基づいて算出される弁開度変化量は、後述する第１時刻から長期停電発生時までにおける弁開度の変化量として考えられる最大値ともいえる。例えば、停電継続時間が１５ｍｉｎであった場合、弁開度変化量は１５０パルスと算出される。
【０１２２】
運転制御部６８は、弁開度変化量の算出後、推定弁開度を算出する。推定弁開度は、後述する第２時刻（最新の通電通知信号が記憶された時刻、すなわち復電時）における膨張弁１５の弁開度として推定される値である。具体的に、推定弁開度は、最新弁開度に弁開度変化量を加算することで算出される。すなわち、推定弁開度は、第１時刻から長期停電発生時までに弁開度の変化が弁開度変化量分あったものとして算出される、復電時における弁開度の推定値である。
【０１２３】
なお、本実施形態において、推定弁開度が、最新弁開度に対して弁開度変化量を減算するのではなく加算することで算出される理由は、次に説明する短縮初期化処理において、推定弁開度に基づき膨張弁１５の初期化が行われる（弁開度が最小開度に設定される）ため、想定しうる最大値として推定弁開度が算出される必要があるからである。
【０１２４】
運転制御部６８は、推定弁開度の算出後、膨張弁１５を初期化するべく短縮初期化処理（特許請求の範囲記載の「初期化処理」に相当）を実行する。運転制御部６８は、短縮初期化処理において、弁開度における原点を設定するために、弁開度を推定弁開度から０パルス（最小開度）に変化させるのに必要なパルス信号（正回転パルス）を出力させる指示を、膨張弁制御部６７に出力する。例えば、運転制御部６８は、短縮初期化処理において、推定弁開度が２８０パルスであった場合には、２８０個（又は２８０＋α個）のパルス信号（正回転パルス）を膨張弁制御部６７に出力させる。その後、運転制御部６８は、起動モードから運転モードに遷移する。
【０１２５】
なお、短縮初期化処理では、上述の通常初期化処理とは異なり、推定弁開度に基づいて膨張弁１５の初期化が行われるため、処理に係る時間が、通常初期化処理に要する時間以下におさまる。
【０１２６】
（４）統括制御部３３の詳細
図５は、統括制御部３３の概略構成図である。
【０１２７】
統括制御部３３は、外部電源３００と電源配線３１０を介して電気的に接続されている。また、統括制御部３３は、ケーブルｃｂ２を介して、室外制御部１６ａ及び室外制御部１６ｂと電気的に接続されている。また、統括制御部３３は、配線を介して、表示部３２及び入力部３１と電気的に接続されている。
【０１２８】
統括制御部３３は、主として、電源生成部７１と、記憶部７２と、通信制御部７３と、第１ユニット制御部７４と、第２ユニット制御部７５と、時刻検知部７６と、を含んでいる。
【０１２９】
（４−１）電源生成部７１
電源生成部７１は、外部電源３００から供給される交流電源Ｖ２を、直流に整流するとともに所定の電源電圧に変換して、各部に供給される駆動電源を生成する機能部である。
【０１３０】
（４−２）記憶部７２
記憶部７２（特許請求の範囲記載の「記憶部」に相当）は、ＲＯＭ（Read Only Memory）やＲＡＭ（Random Access Memory）等のメモリを含む。記憶部７２は、不揮発性の記憶領域において、統括制御部３３内の各部において適用される制御プログラムを保持している。当該制御プログラムには、統括制御部３３内における各部の処理がプログラミングされている。記憶部７２は、ワーキングメモリとしての揮発性の記憶領域に、各部から出力される情報を格納される。
【０１３１】
なお、空調システム１００の稼働中、継続的に受信又は生成される運転状況通知信号及び運転履歴情報（後述）は、ＲＡＭに格納される。このため、空調システム１００の稼働中、記憶部７２においては、複数回にわたり、運転状況通知信号及び運転履歴情報が書き込まれる。一方で、ＲＡＭの書換え可能回数は、フラッシュメモリ（ＥＥＰＲＯＭ）等と比較して著しく多く、統括制御部３３においては、空調システム１００が耐用年数を迎えるまでは、運転状況通知信号及び運転履歴情報をはじめとする各種の情報を、記憶部７２に格納することが可能である。
【０１３２】
（４−３）通信制御部７３
通信制御部７３は、各空調ユニット１１０における室外制御部１６との通信を制御する機能部である。通信制御部７３は、各室外制御部１６から出力された信号を受信して解読し、解読した情報を記憶部７２の所定の記憶領域に格納する。
【０１３３】
例えば、通信制御部７３は、駆動電源の供給を開始された空調ユニット１１０の室外制御部１６から、通電通知信号を送信される。通信制御部７３は、受信した通電通知信号を、記憶部７２の所定の記憶領域に格納する。
【０１３４】
また、通信制御部７３は、運転を開始した空調ユニット１１０の室外制御部１６から、運転開始通知信号を送信される。通信制御部７３は、受信した運転開始通知信号を、記憶部７２の所定の記憶領域に格納する。
【０１３５】
また、通信制御部７３は、運転状態にある空調ユニット１１０の室外制御部１６から、所定の周期で（本実施形態では１０ｓ毎に）運転状況通知信号を送信される。通信制御部７３は、受信した運転状況通知信号を、記憶部７２の所定の記憶領域に格納する。
【０１３６】
また、通信制御部７３は、停止処理が完了した室外制御部１６から、運転停止通知信号を送信される。通信制御部７３は、受信した運転停止通知信号を、記憶部７２の所定の記憶領域に格納する。
【０１３７】
ここで、通信制御部７３は、通電通知信号、運転開始通知信号、運転状況通知信号及び運転停止通知信号を記憶部７２に格納する際、記憶部７２に格納されている時刻データ（後述）を参照して、当該時刻データと各信号とを関連づけて、格納する。これにより、各信号を解読することで、各信号が記憶部７２に格納された時刻を判別することが可能となる。なお、以下の説明においては、説明の便宜上、最新の運転状況通知信号が記憶部７２に格納された時刻を「第１時刻」と称し、最新の通電通知信号が記憶部７２に格納された時刻を「第２時刻」と称する。
【０１３８】
通信制御部７３は、所定の状況に応じて、室外制御部１６ａ又は室外制御部１６ｂに制御信号を送信する。
【０１３９】
例えば、通信制御部７３は、第１ユニット制御部７４又は第２ユニット制御部７５からの指示をうけて、室外制御部１６ａ又は室外制御部１６ｂに、運転履歴情報や、空調ユニット１１１又は１１２の運転状態（空調ユニット１１０の発停の切換え、圧縮機１１の回転数、膨張弁１５の弁開度等）を変更するための制御信号を送信する。
【０１４０】
（４−４）第１ユニット制御部７４
第１ユニット制御部７４（特許請求の範囲記載の「停電継続時間算出部」に相当）は、空調ユニット１１１の運転を統括的に制御する機能部である。
【０１４１】
例えば、第１ユニット制御部７４は、入力部３１を介して、空調ユニット１１１の運転状態を切り換えるコマンドが入力された場合には、空調ユニット１１１の運転状態を変更するための制御信号を生成して、記憶部７２に格納する。その後、生成した制御信号を室外制御部１６ａに送信する旨の指示を通信制御部７３に出力する。
【０１４２】
また、第１ユニット制御部７４は、室外制御部１６ａから送信された通電通知信号が記憶部７２に格納されると、これを取得し、空調ユニット１１１が駆動電源の供給を受けて起動可能状態となったことを認識する。
【０１４３】
そして、第１ユニット制御部７４は、記憶部７２に格納されている最新の運転開始通知信号と、最新の運転停止通知信号と、を取得し、双方の信号が送信された時刻の前後関係を判定する停電判定を行う。
【０１４４】
停電判定の結果、最新の運転停止通知信号が最新の運転開始通知信号よりも後に送信されていた場合には、空調ユニット１１１の直近の運転停止は正常な運転停止である、と判断する。そして、第１ユニット制御部７４は、運転履歴情報を生成して、記憶部７２に格納する。この際、運転履歴情報は、最新の運転状況通知信号に含まれる所定の情報（圧縮機１１の回転数、膨張弁１５の弁開度、室外ファン１４の回転数及び駆動モード等に係る情報）を組み入れて生成される。すなわち、運転履歴情報は、記憶部７２に格納された最新の弁開度に関する情報（弁開度情報）を含む情報である。第１ユニット制御部７４は、運転履歴情報を生成後、生成した運転履歴情報を室外制御部１６ａに送信する旨の指示を、通信制御部７３に対して出力する。
【０１４５】
一方、停電判定の結果、最新の運転開始通知信号が最新の運転停止通知信号よりも後に送信されていた場合には、空調ユニット１１１の直近の運転停止が停電によるものである、と判断する。そして、第１ユニット制御部７４は、当該停電の停電継続時間を算出する。第１ユニット制御部７４は、停電継続時間の算出後、運転履歴情報を生成して、記憶部７２に格納する。この際、運転履歴情報は、算出された停電継続時間と、最新の運転状況通知信号に含まれる所定の情報（圧縮機１１の回転数、膨張弁１５の弁開度、室外ファン１４の回転数及び駆動モード等に係る情報）と、を組み入れて生成される。すなわち、運転履歴情報は、停電の有無を判別する情報と、記憶部７２に格納された最新の弁開度に関する情報（弁開度情報）と、を含む情報である。第１ユニット制御部７４は、運転履歴情報を生成後、生成した運転履歴情報を室外制御部１６ａに送信する旨の指示を、通信制御部７３に対して出力する。
【０１４６】
ここで、停電継続時間とは、停電発生時から復電時までの時間（すなわち停電が継続した時間）に近似する時間であり、具体的には、第２時刻から第１時刻を減じた差分値である。より詳細には、停電継続時間は、停電が継続した時間として想定される最大値に近似する。なお、停電継続時間は、第１時刻に関連する運転状況通知信号が、室外制御部１６から統括制御部３３に対して送信される周期が短いほど、高精度に算出される。本実施形態においては、運転中、運転状況通知信号が、室外制御部１６から統括制御部３３に対して、短い周期（１０ｓｅｃ毎）で定期的に送信されており、停電継続時間が高精度に算出されるようになっている。
【０１４７】
第１ユニット制御部７４は、運転開始通知信号が記憶部７２に格納されると、これを取得し、空調ユニット１１１が運転を開始したことを認識する。その後、第１ユニット制御部７４は、記憶部７２を参照して、室外制御部１６ａから運転状況通知信号が定期的に送信されているか否か、を判断する。判断の結果、運転停止通知信号が送信されることなく運転状況通知信号が定期的に送信されていない場合には、空調ユニット１１１に何らかの事故（停電等）が発生したものと判断して、その旨を表示部３２に表示させる。
【０１４８】
（４−５）第２ユニット制御部７５
第２ユニット制御部７５（特許請求の範囲記載の「停電継続時間算出部」に相当）は、空調ユニット１１２の運転を統括的に制御する機能部である。
【０１４９】
例えば、第２ユニット制御部７５は、入力部３１を介して、空調ユニット１１２の運転状態を切り換えるコマンドが入力された場合には、空調ユニット１１２の運転状態を変更するための制御信号を生成して、記憶部７２に格納する。その後、生成した制御信号を室外制御部１６ｂに送信する旨の指示を通信制御部７３に出力する。
【０１５０】
また、第２ユニット制御部７５は、室外制御部１６ｂから送信された通電通知信号が記憶部７２に格納されると、これを取得し、空調ユニット１１２が駆動電源の供給を受けて起動可能状態となったことを認識する。
【０１５１】
そして、第２ユニット制御部７５は、記憶部７２に格納されている最新の運転開始通知信号と、最新の運転停止通知信号と、を取得し、双方の信号が送信された時刻の前後関係を判定する停電判定を行う。
【０１５２】
停電判定の結果、最新の運転停止通知信号が最新の運転開始通知信号よりも後に送信されていた場合には、空調ユニット１１２の直近の運転停止は正常な運転停止である、と判断する。そして、第２ユニット制御部７５は、運転履歴情報を生成して、記憶部７２に格納する。この際、運転履歴情報は、最新の運転状況通知信号に含まれる所定の情報（圧縮機１１の回転数、膨張弁１５の弁開度、室外ファン１４の回転数及び駆動モード等に係る情報）を組み入れて生成される。第２ユニット制御部７５は、運転履歴情報を生成後、生成した運転履歴情報を室外制御部１６ｂに送信する旨の指示を、通信制御部７３に対して出力する。
【０１５３】
一方、停電判定の結果、最新の運転開始通知信号が最新の運転停止通知信号よりも後に送信されていた場合には、空調ユニット１１２の直近の運転停止が停電によるものである、と判断する。そして、第２ユニット制御部７５は、当該停電の停電継続時間を算出する。第２ユニット制御部７５は、停電継続時間の算出後、運転履歴情報を生成して、記憶部７２に格納する。この際、運転履歴情報は、算出された停電継続時間と、最新の運転状況通知信号に含まれる所定の情報（圧縮機１１の回転数、膨張弁１５の弁開度、室外ファン１４の回転数及び駆動モード等に係る情報）と、を組み入れて生成される。すなわち、運転履歴情報は、停電の有無を判別する情報と、記憶部７２に格納された最新の弁開度に関する情報（弁開度情報）と、を含む情報である。第２ユニット制御部７５は、運転履歴情報を生成後、生成した運転履歴情報を室外制御部１６ｂに送信する旨の指示を、通信制御部７３に対して出力する。
【０１５４】
なお、第２ユニット制御部７５において算出される停電継続時間は、第１ユニット制御部７４において算出される停電継続時間と、同様の方法により算出される。
【０１５５】
第２ユニット制御部７５は、運転開始通知信号が記憶部７２に格納されると、これを取得し、空調ユニット１１２が運転を開始したことを認識する。その後、第２ユニット制御部７５は、記憶部７２を参照して、室外制御部１６ｂから運転状況通知信号が定期的に送信されているか否かを判断する。判断の結果、運転停止通知信号が送信されることなく運転状況通知信号が定期的に送信されていない場合には、空調ユニット１１２に何らかの事故（停電等）が発生したものと判断して、その旨を表示部３２に表示させる。
【０１５６】
（４−６）時刻検知部７６
時刻検知部７６は、時刻をリアルタイムに検知する機能部である。時刻検知部７６は、定期的（例えば１ｓｅｃ毎）に、検知した時刻を、時刻データとして記憶部７２の所定の記憶領域に格納する。なお、時刻データは、記憶部７２に格納される際、過去の時刻データに上書きされるため、記憶部７２に格納される時刻データは、最新の状態にある。
【０１５７】
（５）起動モード時における室外制御部１６（１６ａ、１６ｂ）の処理の流れ
図６は、起動モード時における室外制御部１６の処理の流れの一例を示したフローチャートである。
【０１５８】
室外制御部１６は、交流電源Ｖ１の投入時や、停電からの復電時には、起動モードに遷移して、以下のステップＳ１０１からステップＳ１０６に示す処理を実行する。
【０１５９】
ステップＳ１０１において、室外制御部１６は、通電通知信号を統括制御部３３（集中管理装置１２０）に送信する。その後、ステップＳ１０２へ進む。
【０１６０】
ステップＳ１０２において、室外制御部１６は、統括制御部３３から送信された運転履歴情報を参照し、停電継続時間の有無を確認することで、前回の運転停止が停電によるものか否か、を判定する。判定の結果、当該判定がＮＯの場合（すなわち、前回の運転停止が正常な運転停止であったと判断した場合）には、待機モードに遷移する。一方、当該判定がＹＥＳの場合（すなわち、前回の運転停止が停電によるものであったと判断した場合）には、ステップＳ１０３へ進む。
【０１６１】
ステップＳ１０３において、室外制御部１６は、停電継続時間が、第１閾値ΔＴｈ１以上であるか否かを判定することにより、停電が長期停電であったか、短期停電であったかを判定する。判定の結果、当該判定がＮＯの場合（すなわち、停電継続時間＜ΔＴｈ１場合、つまり短期停電と判断した場合）には、運転モードに遷移する。一方、当該判定がＹＥＳの場合（すなわち、停電継続時間≧ΔＴｈ１場合、つまり長期停電と判断した場合）には、ステップＳ１０４へ進む。
【０１６２】
ステップＳ１０４において、室外制御部１６は、停電継続時間と基準変化量とに基づいて、弁開度変化量を算出する（弁開度変化量＝停電継続時間×基準変化量）。その後、ステップＳ１０５へ進む。
【０１６３】
ステップＳ１０５において、室外制御部１６は、統括制御部３３から送信された運転履歴情報に含まれる最新弁開度と、ステップＳ１０４において算出した弁開度変化量と、に基づいて推定弁開度を算出する（推定弁開度＝最新弁開度＋弁開度変化量）。その後、ステップＳ１０６へ進む。
【０１６４】
ステップＳ１０６において、室外制御部１６は、短縮初期化処理を行い、膨張弁１５を初期化する。すなわち、室外制御部１６は、弁開度を推定弁開度から０パルス（最小開度）に変化させるのに必要なパルス信号（正回転パルス）を、膨張弁１５に出力する。その後、運転モードに遷移する。
【０１６５】
（６）室外制御部１６及び統括制御部３３の動作
以下、空調システム１００における室外制御部１６及び統括制御部３３の動作について説明する。なお、室外制御部１６については、説明の便宜上、一方の室外制御部１６（１６ａ又は１６ｂ）の動作について説明する。図７及び図８は、室外制御部１６（１６ａ又は１６ｂ）及び統括制御部３３の動作の一例を示したシーケンス図である。
【０１６６】
図７に示すように、室外制御部１６（室外制御部１６ａ又は１６ｂ）は、交流電源Ｖ１が供給されたことを契機として、起動モードに遷移する。
【０１６７】
起動モードに遷移した室外制御部１６は、通電通知信号を統括制御部３３に送信する。通電通知信号を受信した統括制御部３３は、運転履歴情報（停電継続時間なし）を室外制御部１６に送信する。当該運転履歴情報を受信した室外制御部１６は、前回の運転停止が停電によるものではない、と判断して待機モードに遷移する。
【０１６８】
待機モードにおいて、運転開始指示が入力されたことを契機として、室外制御部１６は、通常初期化処理を実行して膨張弁１５を初期化する。その後、室外制御部１６は、運転モードに遷移する。
【０１６９】
運転モードに遷移した室外制御部１６は、運転開始通知信号を統括制御部３３に送信する。その後、室外制御部１６は、定期的（１０ｓｅｃ毎）に、運転状況通知信号を統括制御部３３に送信する。
【０１７０】
運転中において、長期停電が発生した場合には、交流電源Ｖ１が遮断されて空調ユニット１１０が運転を停止する。その後、復電して、交流電源Ｖ１の供給が再開されると、室外制御部１６は、起動モードに遷移する。
【０１７１】
起動モードに遷移した室外制御部１６は、通電通知信号を統括制御部３３に送信する。通電通知信号を受信した統括制御部３３は、停電継続時間を含む運転履歴情報を、室外制御部１６に送信する。当該運転履歴情報を受信した室外制御部１６は、前回の運転停止が長期停電によるものであると判断し、短縮初期化処理を実行して膨張弁１５を初期化する。その後、運転モードに遷移する。
【０１７２】
運転モードに遷移した室外制御部１６は、運転開始通知信号を統括制御部３３に送信する。その後、室外制御部１６は、定期的（１０ｓｅｃ毎）に、運転状況通知信号を統括制御部３３に送信する。
【０１７３】
図８に示すように、運転中において、短期停電が発生した場合には、交流電源Ｖ１が遮断されて空調ユニット１１０が運転を停止する。その後、復電して、交流電源Ｖ１の供給が再開されると、室外制御部１６は、起動モードに遷移する。
【０１７４】
起動モードに遷移した室外制御部１６は、通電通知信号を統括制御部３３に送信する。通電通知信号を受信した統括制御部３３は、停電継続時間を含む運転履歴情報を、室外制御部１６に送信する。当該運転履歴情報を受信した室外制御部１６は、前回の運転停止が短期停電によるものであると判断し、膨張弁１５の初期化を行うことなく、運転モードに遷移する。
【０１７５】
運転モードに遷移した室外制御部１６は、運転開始通知信号を統括制御部３３に送信する。その後、室外制御部１６は、定期的（１０ｓｅｃ毎）に、運転状況通知信号を統括制御部３３に送信する。
【０１７６】
運転中、室外制御部１６は、運転停止指示が入力されたことを契機として、停止モードに遷移する。
【０１７７】
停止モードに遷移した室外制御部１６は、停止処理を実行して、膨張弁１５を最大開度に設定する。また、室外制御部１６は、駆動電圧の供給を遮断することで圧縮機１１及び室外ファン１４の駆動を停止させる（図示省略）。その後、室外制御部１６は、運転停止通知信号を統括制御部３３に送信して、待機モードに遷移する。
【０１７８】
（７）特徴
（７−１）
上記実施形態では、長期停電が発生した場合、統括制御部３３が停電継続時間を算出し、復電時に、室外制御部１６が、起動処理を実行して、停電継続時間に基づき弁開度変化量及び推定弁開度を算出し、推定弁開度に基づいて弁開度を最小開度に設定する短縮初期化処理を実行する。これにより、長期停電が発生した場合には、復電時に、停電継続時間に基づき弁開度変化量及び推定弁開度が算出され、推定弁開度に基づいて膨張弁１５の初期化が行われるようになっている。その結果、冷媒をバイパスするためのバイパス配管等を設けることなく、復電時における膨張弁１５の初期化及び再起動に係る時間が高精度に短縮されている。
【０１７９】
（７−２）
上記実施形態では、室外制御部１６は、起動処理において、停電継続時間が第１閾値ΔＴｈ１以上の時には短縮初期化処理を実行する。これにより、復電時において、膨張弁１５の初期化が、必要な時（すなわち長期停電からの復電時）に限って行われるようになっている。換言すると、復電時において、膨張弁１５の初期化が不要な時（すなわち短期停電からの復電時）には、初期化が行われないようになっている。その結果、短期停電からの復電時には、再起動に係る時間がさらに短縮されるようになっている。
【０１８０】
（７−３）
上記実施形態では、外部電源２００とは系統が異なる外部電源３００から交流電源Ｖ２を供給される統括制御部３３は、停電継続時間を算出する第１ユニット制御部７４及び第２ユニット制御部７５を含み、復電時に停電継続時間を室外制御部１６へ送信している。これにより、停電が発生した場合でも、停電継続時間、弁開度変化量及び推定弁開度が高精度に算出されるようになっている。
【０１８１】
（７−４）
上記実施形態では、運転中、室外制御部１６が、統括制御部３３に対し、運転状況通知信号を定期的に送信している。これにより、停電が発生した場合でも、停電継続時間、弁開度変化量及び推定弁開度が高精度に算出されるようになっている。
【０１８２】
（７−５）
上記実施形態では、統括制御部３３が、室外制御部１６から送信された運転状況通知信号を受信し、受信した運転状況通知信号を時刻と関連付けて記憶部７２に格納している。これにより、停電が発生した場合でも、停電継続時間、弁開度変化量及び推定弁開度が高精度に算出されるようになっている。
【０１８３】
（７−６）
上記実施形態では、弁開度に関する情報を含む運転状況通知信号を格納される記憶部７２と、停電継続時間を算出する第１ユニット制御部７４及び第２ユニット制御部７５と、は集中管理装置１２０に含まれている。これにより、施工後の空調システムにおいても、制御プログラムを更新又は新たに集中管理装置１２０を設置すれば、停電が発生した場合の復電時における膨張弁１５の初期化及び再起動に係る時間を高精度に短縮することが可能となっている。
【０１８４】
（８）変形例
（８−１）変形例Ａ
上記実施形態では、空調システム１００は、２つの空調ユニット１１０を含んでいた。しかし、空調ユニット１１０の数については、特に限定されない。例えば、空調ユニット１１０は、一つであってもよい。また、空調システム１００は、３つ以上の空調ユニット１１０を含んでいてもよい。なお、係る場合、統括制御部３３には、空調ユニット１１０の数に応じて制御部が設けられる。
【０１８５】
（８−２）変形例Ｂ
上記実施形態では、空調ユニット１１０は、１台の室外ユニット１０と、１台の室内ユニット２０と、を含んでいた。しかし、空調ユニット１１０に含まれる室外ユニット１０及び室内ユニット２０の数については、特に限定されない。例えば、空調ユニット１１０は、２台以上の室外ユニット１０を含んでいてもよいし、２台以上の室内ユニット２０を含んでいてもよい。
【０１８６】
（８−３）変形例Ｃ
上記実施形態では、統括制御部３３と、各室外制御部１６とは、ケーブルｃｂ２を介して、直接的に接続されていた。しかし、統括制御部３３と、各室外制御部１６との接続態様は、特に限定されない。例えば、統括制御部３３は、各室内制御部２３とケーブルで電気的に接続されて、各室外制御部１６とは室内制御部２３を介して間接的に接続されるように構成してもよい。また、統括制御部３３は、無線ＬＡＮやインターネット等を介して、各室外制御部１６と接続されるように構成してもよい。
【０１８７】
また、室外制御部１６内の室外記憶部６２、室外通信制御部６３、圧縮機制御部６４、室外ファン制御部６５、四路切換弁制御部６６、膨張弁制御部６７及び運転制御部６８のいずれか／全てについては、必ずしも室外ユニット１０内に配置される必要はなく、例えば、ＬＡＮやＷＡＮ又はインターネット等を介して接続される遠隔地に配置されてもよい。
【０１８８】
同様に、統括制御部３３内の記憶部７２、通信制御部７３、第１ユニット制御部７４、第２ユニット制御部７５及び時刻検知部７６のいずれか／全てについては、必ずしも集中管理装置１２０内に配置される必要はなく、例えば、ＬＡＮやＷＡＮ又はインターネット等を介して接続される遠隔地に配置されてもよい。
【０１８９】
（８−４）変形例Ｄ
上記実施形態では、統括制御部３３は、室外制御部１６に電源を供給する外部電源２００とは異なる系統に属する外部電源３００から、電源を供給されていた。しかし、これに限定されず、統括制御部３３は、室外制御部１６に電源を供給する外部電源２００と同一系統に属する電源から、電源を供給されるように構成してもよい。係る場合、停電時において統括制御部３３に駆動電源を供給する他の電源や電池等の予備電源が配設されるのが好ましい。
【０１９０】
（８−５）変形例Ｅ
上記実施形態では、膨張弁１５の初期化を行う際、膨張弁１５の弁開度は最小開度に設定されていた。しかし、これに限定されず、膨張弁１５の初期化を行う際、膨張弁１５の弁開度は最大開度に設定されてもよい。すなわち、膨張弁１５の原点は、「０パルス」ではなく、「４８０パルス」に設定されてもよい。
【０１９１】
（８−６）変形例Ｆ
上記実施形態では、膨張弁１５は、室外ユニット１０内に配置されていた。しかし、膨張弁１５は、室内ユニット２０内に配置されてもよい。係る場合、膨張弁１５は、室内制御部２３によって弁開度等を制御されるのが好ましい。
【０１９２】
（８−７）変形例Ｇ
上記実施形態では、第１閾値ΔＴｈ１は、１０ｍｉｎに設定されていた。しかし、第１閾値ΔＴｈ１は、特に限定されず、１０ｍｉｎより短くても長くてもよい。例えば、第１閾値ΔＴｈ１は、５ｍｉｎに設定されてもよいし、１５ｍｉｎに設定されてもよい。
【０１９３】
（８−８）変形例Ｈ
上記実施形態では、室外制御部１６は、運転中、１０ｓｅｃ毎に、運転状況通知信号を統括制御部３３に送信していた。しかし、室外制御部１６が運転状況通知信号を統括制御部３３に送信するタイミングについては、特に限定されない。例えば、室外制御部１６は、運転状況通知信号を５ｓｅｃ毎に統括制御部３３に送信してもよいし、２０ｓｅｃ毎に統括制御部３３に送信してもよい。また、室外制御部１６は、運転状況通知信号を不定期に統括制御部３３に送信してもよく、例えば、弁開度の変化があったタイミングで運転状況通知信号を統括制御部３３に送信するようにしてもよい。
【０１９４】
（８−９）変形例Ｉ
上記実施形態では、停電が起こった場合、統括制御部３３が停電継続時間を算出していた。しかし、室外制御部１６が停電継続時間を算出するように構成してもよい。例えば、統括制御部３３は、室外制御部１６に送信する運転履歴情報に第１時刻及び第２時刻に係る情報を組み入れ、室外制御部１６が第１時刻及び第２時刻に基づいて停電継続時間を算出するように構成してもよい。
【０１９５】
または、室内制御部２３に停電継続時間算出部を配置して、室内制御部２３によって停電継続時間が算出されるように構成してもよい。
【０１９６】
（８−１０）変形例Ｊ
上記実施形態では、停電が起こった場合、室外制御部１６が弁開度変化量及び推定弁開度を算出していた。しかし、弁開度変化量及び／又は推定弁開度については、統括制御部３３が算出するように構成してもよい。例えば、統括制御部３３の第１ユニット制御部７４又は第２ユニット制御部７５が、停電継続時間算出後に、弁開度変化量及び／又は推定弁開度を算出し、算出したデータを運転履歴情報に含めて室外制御部１６へ送信するように構成してもよい。
【０１９７】
または、室内制御部２３に所定の演算部を配置して、室内制御部２３によって弁開度変化量及び／又は推定弁開度が算出されるように構成してもよい。
【０１９８】
（８−１１）変形例Ｋ
上記実施形態では、統括制御部３３は、最新の運転開始通知信号が記憶部７２に格納された時間と、最新の運転停止通知信号が記憶部７２に格納された時間と、の前後関係に基づいて、停電の有無を判断していた。しかし、統括制御部３３は、他の方法によって、停電の有無を判定するように構成してもよい。例えば、統括制御部３３は、運転開始通知信号を受信後、運転停止通知信号を受信する前に、運転状況通知信号が定期的に送信されなくなった場合には、停電が発生したと判断し、その後、通電通知信号を受信した際に、停電継続時間を算出するように構成してもよい。
【０１９９】
（８−１２）変形例Ｌ
上記実施形態では、統括制御部３３内に時刻検知部７６が配置されていた。しかし、時刻検知部７６は、室外制御部１６又は室内制御部２３内に配置されてもよい。
【０２００】
（８−１３）変形例Ｍ
上記実施形態では、弁開度変化量を算出するうえで用いられる基準変化量は、６ｓｅｃあたり１パルス（１ｍｉｎあたり１０パルス）として設定されていた。しかし、基準変化量は、他の値に設定されてもよく、適宜変更が可能である。例えば、基準変化量は、１０ｓｅｃあたり１パルス（１ｍｉｎあたり６パルス）として設定されてもよく、４ｓｅｃあたり１パルス（１ｍｉｎあたり１５パルス）として設定されてもよい。
【産業上の利用可能性】
【０２０１】
本発明は、空調システムに利用可能である。
【符号の説明】
【０２０２】
１０    ：室外ユニット
１１    ：圧縮機
１５    ：膨張弁（電子膨張弁）
１６（１６ａ、１６ｂ）  ：室外制御部（第１制御部）
２０    ：室内ユニット
２３    ：室内制御部
３３    ：統括制御部（第２制御部）
４３    ：ステッピングモータ
６１    ：室外電源生成部
６２    ：室外記憶部
６３    ：室外通信制御部
６４    ：圧縮機制御部
６５    ：室外ファン制御部
６６    ：四路切換弁制御部
６７    ：膨張弁制御部
６８    ：運転制御部
７１    ：電源生成部
７２    ：記憶部
７３    ：通信制御部
７４    ：第１ユニット制御部（停電継続時間算出部）
７５    ：第２ユニット制御部（停電継続時間算出部）
７６    ：時刻検知部
１００  ：空調システム
１１０（１１１、１１２）  ：空調ユニット
１２０  ：集中管理装置（集中管理機器）
２００    ：外部電源
３００    ：外部電源
Ｖ１      ：交流電源（駆動用電源）
Ｖ２      ：交流電源（電源）
ΔＴｈ１  ：第１閾値（閾値）
【先行技術文献】
【特許文献】
【０２０３】
【特許文献１】特開２００９−１６２４７５号公報
【図１】
0006365066.tif 000002
【図２】
0006365066.tif 000003
【図３】
0006365066.tif 000004
【図４】
0006365066.tif 000005
【図５】
0006365066.tif 000006
【図６】
0006365066.tif 000007
【図７】
0006365066.tif 000008
【図８】
0006365066.tif 000009